(57)【要約】【課題】燃料の不純物を、より確実に除去できる燃料不純物除去装置を提供すること。【解決手段】燃料タンク１０内の燃料４０にマイクロバブル４５を供給するマイクロバブル発生装置５０を設け、燃料タンク１０内には不純物堆積部３０を設ける。マイクロバブル発生装置５０で燃料タンク１０内の燃料４０にマイクロバブル４５を供給すると、マイクロバブル４５は燃料４０に含まれている不純物４６に付着する。これにより、不純物４６とマイクロバブル４５は燃料４０の液面４１方向に浮上するが、マイクロバブル４５は所定の時間が経過した際に消滅する。このため、マイクロバブル４５が付着していた不純物４６は沈下し、この沈下する方向に位置している不純物堆積部３０に不純物４６は堆積する。このようにして、燃料４０に含まれている不純物４６は収集される。この結果、燃料４０の不純物４６を、より確実に除去することができる。【選択図】        図１
2006328979.tif 000002
【特許請求の範囲】
【請求項１】
内部に燃料を貯留する燃料タンクと、
前記燃料タンク内の前記燃料に、前記燃料の液面方向に浮上すると共に−の電荷に帯電して前記燃料に含まれる不純物に付着する気泡を供給する気泡供給手段と、
前記燃料タンク内に配設されると共に、前記不純物に付着した前記気泡が消滅した際に沈下する前記不純物の沈下方向、或いは前記気泡が付着することにより浮上した前記不純物が位置する前記液面が下降した際の前記液面の下降方向に配設されて前記不純物を収集する不純物収集手段と、
を備えることを特徴とする燃料不純物除去装置。
【請求項２】
前記気泡供給手段が前記燃料タンク内の前記燃料に供給する前記気泡は、生成時に−の電荷に帯電する前記気泡であるマイクロバブルであることを特徴とする請求項１に記載の燃料不純物除去装置。
【請求項３】
前記不純物収集手段は、前記燃料タンク内に貯留される前記燃料の量によって前記燃料内に位置するように、または前記燃料の前記液面よりも外側に位置するように、前記燃料タンクの内壁に設けられており、且つ、前記燃料に含まれている前記不純物を堆積させることができるように設けられていることを特徴とする請求項１または２に記載の燃料不純物除去装置。
【請求項４】
前記燃料タンクには、前記燃料タンク内の前記燃料が前記燃料タンク内から流出する部分である燃料出口が設けられていると共に、前記燃料タンクの内部は互いに連通した複数の槽に分かれており、
前記気泡供給手段は、前記複数の槽のうちの一部の槽に貯留されている前記燃料に前記気泡を供給し、
前記不純物収集手段は、前記燃料タンクの内部における前記複数の槽のうち、前記気泡供給手段が前記気泡を供給する槽に設けられており、
前記複数の槽のうちの前記不純物収集手段が設けられている槽は、前記燃料出口から流出する全ての前記燃料が通過できるように設けられていることを特徴とする請求項１〜３のいずれか１項に記載の燃料不純物除去装置。
【発明の詳細な説明】
【技術分野】
【０００１】
本発明は、燃料不純物除去装置に関するものである。特に、この発明は、より確実に不純物の除去を行なうことのできる燃料不純物除去装置に関するものである。
【背景技術】
【０００２】
内燃機関を搭載している従来の車両などの場合、内燃機関の運転時に使用する燃料を貯留する燃料タンクを備えており、燃料タンクに燃料を貯留して、運転に必要な分の燃料を内燃機関に供給することにより、内燃機関を運転させている。しかし、燃料を供給する状態によっては、燃料の供給が困難になる虞がある。例えば、燃料タンクから内燃機関までの間には、燃料に含まれている不純物を除去する燃料フィルタが設けられている場合が多いが、燃料タンク内の燃料を内燃機関に供給する燃料ポンプが燃料フィルタよりも下流側にある場合、燃料フィルタと燃料ポンプと間の燃料の圧力が低下し、この部分の燃料が気化して、いわゆるベーパが発生する虞がある。この場合、燃料を内燃機関に供給することが困難になり、内燃機関の運転が困難になる虞があった。
【０００３】
そこで、従来の燃料の供給系統には、燃料フィルタの下流側で発生したベーパが燃料ポンプの方向に向かわないようにしているものがある。例えば、特許文献１では、燃料フィルタの下流側で発生したベーパを燃料タンクに戻している。これにより、ベーパが燃料ポンプに向かうことを抑制でき、燃料をより確実に内燃機関に供給することにより、内燃機関をより確実に運転していた。
【０００４】
【特許文献１】特開２００２−１６８１５５号公報
【発明の開示】
【発明が解決しようとする課題】
【０００５】
しかしながら、内燃機関への燃料の供給は、ベーパの発生以外の場合でも困難になる場合がある。例えば、不純物が多く含まれている燃料を使用した場合には、不純物が多過ぎるため、中には燃料フィルタを通過する不純物が含まれている場合があり、この不純物が内燃機関に到達した場合には、内燃機関の燃料噴射装置で燃料が噴霧される際に、燃料噴射装置が不純物によって詰まる虞がある。このように、燃料噴射装置が不純物によって詰まった場合には、燃料が噴霧され難くなるため内燃機関の運転が困難になる虞がある。また、燃料に含まれる不純物が多い場合には、燃料フィルタで除去される不純物が多くなるため、短時間でフィルタを交換するなど燃料フィルタの不純物を取り除く必要があり、内燃機関を運転させるための点検や交換の回数を多くする必要がある。このため、保守が煩雑になる虞があった。
【０００６】
本発明は、上記に鑑みてなされたものであって、燃料の不純物を、より確実に除去できる燃料不純物除去装置を提供することを目的とする。
【課題を解決するための手段】
【０００７】
上述した課題を解決し、目的を達成するために、この発明に係る燃料不純物除去装置は、内部に燃料を貯留する燃料タンクと、前記燃料タンク内の前記燃料に、前記燃料の液面方向に浮上すると共に−の電荷に帯電して前記燃料に含まれる不純物に付着する気泡を供給する気泡供給手段と、前記燃料タンク内に配設されると共に、前記不純物に付着した前記気泡が消滅した際に沈下する前記不純物の沈下方向、或いは前記気泡が付着することにより浮上した前記不純物が位置する前記液面が下降した際の前記液面の下降方向に配設されて前記不純物を収集する不純物収集手段と、を備えることを特徴とする。
【０００８】
この発明では、燃料に含まれる不純物は、＋（プラス）の電荷に帯電し易いため、燃料に、−（マイナス）の電荷に帯電する気泡を供給することにより、気泡と不純物とを引き合わせ、不純物に気泡を付着させている。また、気泡は燃料の液面方向に浮上するため、気泡が付着した不純物は液面方向に浮上する。これにより、不純物は液面付近に集まる。その後、気泡が消滅することによって不純物は沈下したり、燃料タンク内の燃料を消費して液面が下降することによって不純物も下降したりするが、燃料タンク内におけるこの方向には、不純物収集手段が配設されている。このため、これらの不純物は不純物収集手段によって収集される。このように、燃料に含まれている不純物は、不純物収集手段によって収集されるので、不純物は燃料から分離される。この結果、燃料の不純物を、より確実に除去することができる。
【０００９】
また、この発明に係る燃料不純物除去装置は、前記気泡供給手段が前記燃料タンク内の前記燃料に供給する前記気泡は、生成時に−の電荷に帯電する前記気泡であるマイクロバブルであることを特徴とする。
【００１０】
この発明では、燃料タンク内に供給する気泡として、生成時に−の電荷に帯電するマイクロバブルを供給しているため、気泡を容易に−の電荷に帯電させることができる。つまり、マイクロバブルは、意図的に−の電荷に帯電させなくても、マイクロバブルを発生させるのみで−に帯電するため、発生した気泡を新たに−の電荷に帯電させる必要がない。従って、気泡を−の電荷に帯電させる装置を設ける必要がなくなる。この結果、装置の簡略化を図ることができる。
【００１１】
また、この発明に係る燃料不純物除去装置は、前記不純物収集手段は、前記燃料タンク内に貯留される前記燃料の量によって前記燃料内に位置するように、または前記燃料の前記液面よりも外側に位置するように、前記燃料タンクの内壁に設けられており、且つ、前記燃料に含まれている前記不純物を堆積させることができるように設けられていることを特徴とする。
【００１２】
この発明では、不純物収集手段を、前記不純物を堆積させることができるようにし、さらに、燃料タンク内に貯留される燃料の量によって燃料内に位置したり、燃料の液面よりも外側に位置したりするように設けている。これにより、不純物収集手段が燃料内に位置している際に、気泡によって集められた不純物は不純物収集手段に堆積し、この不純物収集手段が燃料の液面よりも外側に位置することにより、堆積した不純物は燃料から分離される。この結果、燃料の不純物を、より確実に除去することができる。
【００１３】
また、この発明に係る燃料不純物除去装置は、前記燃料タンクには、前記燃料タンク内の前記燃料が前記燃料タンク内から流出する部分である燃料出口が設けられていると共に、前記燃料タンクの内部は互いに連通した複数の槽に分かれており、前記気泡供給手段は、前記複数の槽のうちの一部の槽に貯留されている前記燃料に前記気泡を供給し、前記不純物収集手段は、前記燃料タンクの内部における前記複数の槽のうち、前記気泡供給手段が前記気泡を供給する槽に設けられており、前記複数の槽のうちの前記不純物収集手段が設けられている槽は、前記燃料出口から流出する全ての前記燃料が通過できるように設けられていることを特徴とする。
【００１４】
この発明では、燃料タンクの内部を複数の槽に分け、一部の槽に貯留される燃料に気泡を供給し、気泡が供給される槽に不純物収集手段を設けている。さらに、この不純物収集手段を設け燃料に気泡を供給する槽は、燃料出口から流出する全ての燃料が通過できるように設けられている。これにより、燃料タンク内全体の燃料に気泡を供給せずに、燃料の一部に気泡を供給するのみで、燃料出口から流出する全ての燃料に気泡を供給することができる。これにより、気泡供給手段の小型化を図ることができる。この結果、燃料不純物除去装置全体の小型化を図ることができる。さらに、気泡供給手段が電気によって作動する場合には、消費電力の低減を図ることができる。
【発明の効果】
【００１５】
本発明に係る燃料不純物除去装置は、燃料の不純物を、より確実に除去することができる、という効果を奏する。
【発明を実施するための最良の形態】
【００１６】
以下に、本発明に係る燃料不純物除去装置の実施例を図面に基づいて詳細に説明する。なお、この実施例によりこの発明が限定されるものではない。また、下記実施例における構成要素には、当業者が置換可能かつ容易なもの、或いは実質的に同一のものが含まれる。また、以下の説明では、燃料不純物除去装置を搭載した車両の上方、下方を、燃料不純物除去装置においても上方、下方として説明する。
【実施例】
【００１７】
図１は、本発明の実施例に係る燃料不純物除去装置の要部断面図である。同図に示す燃料不純物除去装置１は、内部に空間を有する燃料タンク１０と、気泡供給手段であるマイクロバブル発生装置５０を備えている。このうち、燃料タンク１０は、内部に隔壁１４が配設されており、この隔壁１４によって燃料タンク１０の内部は２つの槽に分かれている。この２つの槽は、それぞれ容積が異なっており、容積が大きい方の槽は燃料槽１７、容積が小さい方の槽は分離槽１８となっている。また、隔壁１４は上端１５が燃料タンク１０の上壁１１の内面に接続され、下端１６は燃料タンク１０の底面１２から離れている。このため、燃料槽１７と分離槽１８は隔壁の下方で連通している。
【００１８】
また、燃料タンク１０には、燃料槽１７側における上壁１１の外面に、略円筒形の形状で斜め方向に突出した燃料投入部２０が設けられている。即ち、燃料投入部２０は、円筒形の一端が上壁１１の外面に接続されており、この円筒形の内部は、燃料槽１７に連通している。また、この円筒形の他端は開口しており、この部分は燃料投入口２１となっている。
【００１９】
また、分離槽１８における底面１２付近の側壁１３には、円形の孔の形状で開口した燃料出口２２が形成されており、この燃料出口２２には、燃料パイプ２５が挿通固定されている。燃料パイプ２５は、一端が燃料出口２２に挿通固定され、この部分から燃料タンク１０の外側に設けられる燃料ポンプ（図示省略）の方向に向けて形成されている。
【００２０】
前記マイクロバブル発生装置５０は、前記燃料タンク１０の外側で燃料タンク１０の下側に配設されている。このマイクロバブル発生装置５０は、マイクロバブルを発生させる本体部５１を有しており、本体部５１からはマイクロバブル供給部５２が突出している。さらに、マイクロバブル供給部５２は、燃料タンク１０の底面１２に挿通されて燃料タンク１０の内部に突出しており、分離槽１８内にマイクロバブル供給部５２は突出している。また、本体部５１には燃料取入部５３と空気取入部５４が接続されており、燃料取入部５３は燃料タンク１０の燃料槽１７側の底面１２から本体部５１にかけて形成されている。また、空気取入部５４には、エアフィルタ５５が設けられている。
【００２１】
前記分離槽１８の内部には、不純物収集手段である不純物堆積部３０が複数配設されている。この不純物堆積部３０は、分離槽１８を形成する側壁１３の内面、つまり、分離槽１８の内壁に設けられており、この側壁１３の内面に固定され分離槽１８内に設けられている。不純物堆積部３０は、底面１２とほぼ平行な方向、或いは燃料タンク１０を車両（図示省略）に搭載した場合にほぼ水平となる方向に形成された不純物受け部３１と、不純物受け部３１における側壁１３側の端部と反対方向の端部から前記上壁１１方向に向けて折り曲げられるように形成された不純物壁部３２とにより形成されている。分離槽１８の側壁１３の内面には、この不純物堆積部３０が、上下方向に並んで複数形成されている。
【００２２】
この実施例に係る燃料不純物除去装置１は、以上のごとき構成からなり、以下、その作用について説明する。前記燃料タンク１０には、燃料投入口２１から燃料を投入することにより、燃料タンク１０内には燃料４０が貯留される。燃料投入口２１は、燃料槽１７側の上壁１１に設けられた燃料投入部２０に形成されているため、燃料投入口２１から投入された燃料４０は燃料槽１７に投入される。燃料タンク１０の内部は、隔壁１４によって燃料槽１７と分離槽１８とに分かれているが、燃料槽１７と分離槽１８とは隔壁１４の下方、つまり、隔壁１４の下端１６と底面１２との間で互いに連通している。このため、燃料槽１７に投入された燃料４０は分離槽１８に流れ、燃料槽１７と分離槽１８との双方における燃料４０の液面４１の高さが等しくなる位置まで分離槽１８には燃料４０が流れ込む。
【００２３】
当該燃料不純物除去装置１を搭載する車両のエンジン（図示省略）を運転させると、前記マイクロバブル発生装置５０が作動する。マイクロバブル発生装置５０が作動すると、空気取入部５４からは空気が本体部５１に取り入れられ、燃料取入部５３からは燃料４０が本体部５１に取り入れられる。空気取入部５４から本体部５１に取り入れられる空気は、空気取入部５４に設けられているエアフィルタ５５を通過後に本体部５１に取り入れられるため、エアフィルタ５５によって比較的大きな異物が除去された空気が取り入れられる。また、燃料取入部５３から本体部５１に取り入れられる燃料４０は、燃料タンク１０内に貯留されている燃料４０のうち、燃料槽１７内の燃料４０が取り入れられる。
【００２４】
作動中のマイクロバブル発生装置５０の本体部５１内では、燃料取入部５３から取り入れた燃料４０に、空気取入部５４から取り入れた空気をマイクロバブルにして混入する。その方法は、例えば、燃料取入部５３から取り入れた燃料４０の噴流によって空気取入部５４から取り入れた空気をせん断して微細気泡、即ちマイクロバブルを生成して燃料４０に混入する。このようにしてマイクロバブルが混入された燃料４０は、マイクロバブル供給部５２から燃料タンク１０内の分離槽１８に送り出される。これにより、分離槽１８に貯留されている燃料４０にはマイクロバブル４５が供給される。なお、ここでいうマイクロバブル４５とは、大きさが数十μｍ以下の気泡をいう。また、気泡が数十μｍ以下の大きさで生成されると、その気泡は−（マイナス）の電荷に帯電する。これにより、分離槽１８内の燃料４０に供給されたマイクロバブル４５は、−の電荷に帯電している。
【００２５】
また、マイクロバブル４５は燃料４０よりも比重が小さいため、分離槽１８に貯留されている燃料４０内を広がりながら液面４１方向に浮上する。その際に、分離槽１８内には不純物堆積部３０が設けられているため、マイクロバブル４５の一部は、液面４１まで到達せずに、不純物堆積部３０の下側の面、つまり不純物堆積部３０における前記底面１２側の面に付着し、それ以外のマイクロバブル４５の多くは、分離槽１８内の燃料４０の液面４１に到達する。
【００２６】
図２は、マイクロバブルが供給された燃料の一部詳細図である。また、燃料４０には、小さなゴミや、硫黄、マンガンなどの不純物４６が含まれている場合があるが、これらの不純物４６は、＋（プラス）の電荷に帯電する性質を有している。このため、−の電荷に帯電しているマイクロバブル４５と＋の電荷に帯電している不純物４６とは互いに引き付け合い、マイクロバブル４５は不純物４６に付着する。マイクロバブル４５が付着した不純物４６は、マイクロバブル４５が液面４１方向に浮上することにより、マイクロバブル４５と共に浮上する。マイクロバブル４５は、上述したように、燃料４０の液面４１や、不純物堆積部３０の下側の面に到達するため、マイクロバブル４５が付着した不純物４６も、燃料４０の液面４１や不純物堆積部３０の下側の面に到達する。
【００２７】
また、マイクロバブル４５は、単位体積当たりの気泡表面積が大きいため、内部の空気が周囲の液体、即ち燃料４０に溶け易くなっている。このため、マイクロバブル発生装置５０でマイクロバブル４５が発生して燃料４０に供給された後、所定の時間が経過することによりマイクロバブル４５内の空気が燃料４０に溶けることにより、マイクロバブル４５は消滅する。マイクロバブル４５が付着していた不純物４６は、比重が燃料４０の比重よりも大きいものが多く、このような場合、マイクロバブル４５が消滅すると不純物４６は下方に移動する、つまり、沈下する。このため、マイクロバブル４５が付着することにより燃料４０の液面４１や不純物堆積部３０の下側の面に位置していた不純物４６は沈下する。分離槽１８には不純物堆積部３０が複数設けられているが、このように不純物４６が沈下した際に、沈下する方向に不純物堆積部３０が位置している場合には、不純物４６は不純物堆積部３０が有する不純物受け部３１で受けられる。つまり、マイクロバブル４５が付着することにより浮上して不純物堆積部３０の上方に位置する不純物４６は、マイクロバブル４５の消滅によって沈下した際に、不純物堆積部３０の不純物受け部３１で受けられる。
【００２８】
燃料４０内の不純物４６は、このように不純物堆積部３０の不純物受け部３１で受けられ、不純物受け部３１上の不純物４６は次第に堆積する。また、不純物４６は不純物受け部３１上に堆積するが、不純物受け部３１の端部には不純物壁部３２が形成されている。このため、堆積した不純物４６は不純物壁部３２に遮られるため、不純物受け部３１から燃料タンク１０の底面１２の方向には沈下せずに、燃料タンク１０の側壁１３と不純物壁部３２との間に維持されて堆積する。これにより、燃料４０に含まれている不純物４６は、不純物堆積部３０によって収集される。
【００２９】
車両に搭載されるエンジンが運転している場合には、エンジンは燃料タンク１０内に貯留されている燃料４０がエンジンの内部で燃焼することにより作動する。ここで、燃料タンク１０内の燃料４０は、燃料パイプ２５が接続された燃料ポンプが作動することによって、燃料パイプ２５を通って燃料タンク１０の外部に流出する。つまり、燃料タンク１０内に貯留されている燃料４０は、燃料出口２２から燃料タンク１０の外部に流出し、燃料パイプ２５を通って燃料ポンプを介してエンジンの方向に向かう。
【００３０】
また、上述したように燃料投入口２１から投入された燃料４０は燃料槽１７に投入されるが、燃料出口２２は、分離槽１８を形成する側壁１３の底面１２付近に形成されているため、燃料タンク１０の外部に流出する燃料４０は、分離槽１８内の燃料４０が流出する。さらに、燃料槽１７と分離槽１８とは、隔壁１４の下方で連通しているため、この部分が燃料４０の流路となって、燃料投入口２１から投入された全ての燃料４０は、分離槽１８を通過後に外部に流出する。換言すると、分離槽１８は、燃料出口２２から外部に流出する全ての燃料４０が通過できるように設けられており、これにより、燃料タンク１０内の全ての燃料４０は、分離槽１８を通過後に燃料出口２２から外部に流出する。
【００３１】
図３は、図１に記載されている燃料が減少した状態を示す図である。燃料タンク１０内に貯留されている燃料４０が燃料出口２２から燃料パイプ２５を通って流出すると、流出した量に応じて燃料タンク１０内の燃料４０は減少する。このため、燃料タンク１０内の燃料４０の液面４１は下降する。その際に、マイクロバブル４５が消滅せずに液面４１付近に位置している不純物４６や、比重が燃料４０の比重と同程度のため、マイクロバブル４５消滅後も液面４１付近に位置している不純物４６は、液面４１の下降に伴って下降する。分離槽１８内の燃料４０内に位置している不純物堆積部３０は、液面４０の下降方向に配設されているが、さらに、この不純物堆積部３０が、液面４１付近の不純物４６の下降方向に位置している場合には、液面４１が不純物堆積部３０まで下降すると同時に不純物４６は不純物堆積部３０の不純物受け部３１で受けられ、不純物受け部３１上に不純物４６は堆積する。これにより、燃料４０の液面付近に位置している不純物４６は、不純物堆積部３０によって収集される。
【００３２】
また、燃料タンク１０内の燃料４０の液面４１が下降すると、分離槽１８の側壁１３に複数設けられた不純物堆積部３０のうち、上壁１１方向に位置する一部の不純物堆積部３０は燃料タンク１０内の燃料４０から露出して燃料４０の液面４１よりも外側、つまり上方に位置した状態になる。この際、この部分の不純物堆積部３０に堆積していた不純物４６は、不純物堆積部３０と同様に燃料４０の液面４１よりも上方に位置し、燃料４０からは分離される。
【００３３】
以上の燃料不純物除去装置１は、燃料タンク１０内に、−の電荷に帯電した気泡であるマイクロバブル４５を供給することにより、＋の電荷に帯電し易い燃料４０内の不純物にマイクロバブル４５を付着させ、不純物４６を燃料４０の液面４１方向に浮上させている。また、マイクロバブル４５は、所定の時間経過後に消滅するため、液面４１方向に浮上した不純物４６の一部は、マイクロバルブ４５の消滅によって底面方向に沈下し、不純物堆積部３０の不純物受け部３１に堆積して不純物堆積部３０によって収集される。また、比重が燃料４０の比重と同程度のため、マイクロバブル４５消滅後も液面４１付近に位置している不純物４６は、燃料４０が消費されて液面４１が下降した際に液面４１の下降に伴って下降する。液面４１付近に位置している不純物４６は、このようにして下降して不純物堆積部３０に到達することにより不純物受け部３１に受けられ、不純物受け部３１に堆積し、不純物堆積部３０によって収集される。これらのように、燃料４０に含まれている不純物４６は不純物堆積部３０によって収集されるので、不純物４６は燃料４０から分離される。この結果、燃料４０の不純物４６を、より確実に除去することができる。
【００３４】
また、このように燃料４０に含まれる不純物４６を、より確実に除去できるので、当該燃料不純物除去装置１を搭載する車両のエンジンに燃料４０を供給する際に、不純物４６が除去された燃料４０を供給することができる。これにより、この燃料４０が供給されるエンジンのインジェクタ（燃料噴射装置）に不純物４６が詰まることを抑制できる。この結果、燃料４０に不純物４６が含まれていることに起因するエンジンの不調を低減できる。
【００３５】
また、不純物４６が除去された燃料４０をエンジンに供給することにより、燃料４０に不純物４６が含まれている場合と比較して、エンジンの運転時における燃料４０の燃焼効率の向上を図ることができる。この結果、エンジンの出力の向上を図ることができる。さらに、不純物４６が除去された燃料４０をエンジンに供給することにより、エンジン運転時の排出ガスの排気系統に設けられる触媒（図示省略）などが、不純物４６によって劣化することを抑制できる。この結果、エンジン及びエンジンに関する部品の耐久性の向上を図ることができる。
【００３６】
また、燃料タンク１０内に供給すると共に−の電荷に帯電する気泡として、マイクロバブル４５を用いているが、マイクロバブル４５は、気泡を−の電荷に帯電させる手段を用いて意図的に−の電荷に帯電させなくても、マイクロバブル４５を発生するのみで−の電荷に帯電する。このため、気泡を−の電荷に帯電させる装置などを設ける必要がなく、マイクロバブル発生装置５０を設けるのみで、−に帯電した気泡であるマイクロバブル４５を燃料タンク１０内の燃料４０に供給することができる。この結果、燃料不純物除去装置１の簡略化を図ることができる。また、燃料不純物除去装置１の簡略化を図ることができるので、製造コストの低減を図ることができる。
【００３７】
また、不純物堆積部３０を燃料タンク１０の側壁１３の内面に上下方向に並べて複数設けているので、燃料４０に含まれる不純物４６が不純物堆積部３０に堆積して収集された後、燃料４０が減少することにより、複数設けられた不純物堆積部３０のうちの一部、または全てが燃料４０の液面４１よりも上方に位置する。このように、燃料４０の液面４１よりも上方に位置することとなった不純物堆積部３０に堆積した不純物４６は、不純物堆積部３０と共に燃料４０の外側に位置するため、堆積した不純物４６は燃料４０から分離される。この結果、燃料４０の不純物４６を、より確実に除去することができる。
【００３８】
また、不純物堆積部３０は燃料タンク１０の側壁１３の内面に設けられており、不純物堆積部３０には、不純物受け部３１における燃料タンク１０の側壁１３側と端部と反対側の端部に不純物壁部３２が形成されている。このため、不純物受け部３１に堆積した不純物４６は不純物壁部３２に遮られ、不純物受け部３１に堆積した不純物４６が不純物受け部３１から燃料タンク１０の底面１２の方向へ沈下することを抑制することができる。また、マイクロバブル４５は、燃料タンク１０の底面１２から燃料４０の液面４１方向に浮上しており、不純物堆積部３０は上記のように燃料タンク１０の側壁１３の内面に設けられている。このため、マイクロバブル発生装置５０で発生したマイクロバブル４５は、不純物堆積部３０の側方、つまり、不純物壁部３２の側方を通って浮上する。これにより、不純物受け部３１に堆積した不純物４６が不純物受け部３１から飛び出しそうになった場合でも、マイクロバブル４５によって不純物受け部３１の方向に戻される。即ち、マイクロバブル４５の浮上時の流れによって不純物４６は不純物受け部３１の方向に戻されるので、不純物受け部３１に堆積した不純物４６が不純物受け部３１から燃料タンク１０の底面１２の方向へ沈下することを抑制することができる。
【００３９】
従って、例えば、燃料タンク１０内の燃料４０が消費されて液面４１が下がり、不純物４６が堆積した不純物堆積部３０が液面４１の外側に出た後、燃料４０が燃料タンク１０内に補給されて液面４１が上昇し、不純物堆積部３０が再び燃料４０内に位置するような場合においても、不純物堆積部３０に堆積した不純物４６が燃料タンク１０の底面１２の方向に沈下することを抑制できる。この結果、不純物堆積部３０に堆積した不純物４６が再び燃料４０に混ざることを抑制でき、燃料４０の不純物４６を、より確実に除去することができる。
【００４０】
また、燃料タンク１０の内部に燃料槽１７と分離槽１８とを形成し、分離槽１８にのみマイクロバブル発生装置５０によってマイクロバブル４５を供給している。さらに、燃料槽１７側の上壁１１に燃料投入口２１が形成された燃料投入部２０を設け、分離槽１８を形成する側壁１３に、燃料パイプ２５が挿通固定される燃料出口２２を形成している。また、燃料槽１７と分離槽１８とは、隔壁１４の下端１６と底面１２との間で連通している。このため、分離槽１８は、燃料投入口２１から燃料出口２２にかけての燃料４０の流路中に位置しており、燃料投入口２１から投入された全ての燃料４０は、分離槽１８を通ることになる。これにより、マイクロバブル発生装置５０で供給するマイクロバブル４５は、燃料タンク１０内全体の燃料４０に供給せずに、分離槽１８内の燃料４０に供給するのみで、燃料出口２２から流出する全ての燃料４０にマイクロバブル４５を供給することができる。従って、マイクロバブル発生装置５０の小型化を図ることができる。この結果、燃料不純物除去装置１全体の小型化を図ることができる。また、マイクロバブル発生装置５０を作動させる際の消費電力の低減を図ることができる。
【００４１】
また、燃料４０に含まれる不純物４６は、上述したように燃料タンク１０内で除去できるので、燃料４０の流路経路に通常設けられる燃料フィルタ（図示省略）を設けなくても、燃料４０内の不純物４６を除去することができる。この結果、燃料４０の流路系統の簡略化を図ることができる。
【００４２】
図４は、実施例に係る燃料不純物除去装置の変形例を示す図である。なお、実施例に係る燃料不純物除去装置１では、複数の不純物堆積部３０は上下方向に並んで設けられているが、不純物堆積部３０を複数設ける場合には、上下方向以外の方向に並べて設けてもよい。例えば、図４に示すように、燃料タンク１０を上下方向の断面で見た不純物堆積部６０の形状を、上方が開口したＵ字状の形状で形成し、この形状で形成された複数の不純物堆積部６０を、水平方向、或いは、底面と平行な方向に並べて設けてもよい。このように、複数の不純物堆積部６０を水平方向に並べて設けることにより、マイクロバブル４５が付着することによって浮上した後、マイクロバブル４５が消滅することにより沈下する不純物４６を、広い範囲で受けることができる。この結果、不純物４６を不純物堆積部６０でより確実に受けることができ、より確実に不純物４６を燃料４０から分離することができる。
【００４３】
また、複数の不純物堆積部６０を水平方向に並べる際には、不純物堆積部６０同士の間隔を開けて配設し、且つ、マイクロバブル発生装置５０が有するマイクロバブル供給部６５を複数に分岐させて、分岐したマイクロバブル供給部６５が不純物堆積部６０同士の間、または不純物堆積部６０同士の間の下方に位置するようにしてもよい。これにより、不純物４６を広い範囲で受けるようにした場合においても、不純物堆積部６０同士の間からマイクロバブル４５を供給することができる。従って、不純物４６を広い範囲で受けることと、効率よくマイクロバブル４５を供給することとを両立することができる。この結果、燃料４０の不純物４６を、より確実に除去することができる。
【００４４】
また、不純物収集手段は、上述した不純物堆積部３０、６０以外の形態で形成してもよい。マイクロバブル４５の消滅後に沈下する不純物４６を収集できる形態であれば、不純物収集手段は上記の不純物堆積部３０、６０以外の形態で形成してもよい。
【００４５】
また、燃料タンク１０内は２つの槽に分かれているが、燃料タンク１０内は３つ以上の槽に分かれていてもよい。燃料タンク１０内が３つ以上の槽に分かれている場合でも、燃料出口２２から流出する全ての燃料４０が、燃料４０にマイクロバブル４５を供給すると共に不純物堆積部３０を有する槽を通過できるように燃料タンク１０を形成することにより、燃料出口２２から流出する全ての燃料４０にマイクロバブル４５を供給することができる。この結果、より確実な燃料４０の不純物４６の除去と、マイクロバブル発生装置５０の小型化との両立を図ることができる。
【００４６】
また、上述した燃料不純物除去装置１では、気泡供給手段としてマイクロバブル発生装置５０を設け、マイクロバブル４５を燃料に供給することにより−の電荷に帯電した気泡を供給しているが、気泡供給手段はマイクロバブル発生装置５０以外でもよく、気泡はマイクロバブル４５以外でもよい。マイクロバブル４５以外の気泡を燃料４０に供給する場合でも、気泡を−の電荷に帯電する装置を設け、この装置で気泡を−の電荷に帯電させることにより、−の電荷に帯電した気泡を燃料タンク１０内の燃料４０に供給することができる。これにより、燃料タンク１０内の燃料４０に含まれると共に＋の電荷に帯電している不純物４６に、気泡を付着させて燃料４０の液面４１方向に浮上させることができる。このため、気泡の消滅によって不純物４６は沈下して収集することができるので、不純物４６を燃料４０から分離することができる。この結果、燃料４０の不純物４６を、より確実に除去することができる。
【００４７】
また、上述した燃料不純物除去装置１では燃料フィルタを設けていないが、燃料４０の流路系統に燃料フィルタを設けてもよい。燃料４０の流路系統に燃料フィルタを設けた場合、燃料フィルタを通過する燃料４０は、燃料タンク１０内で不純物４６を除去されて不純物４６が激減した燃料４０が通過する。このため、燃料フィルタで除去する不純物４６の量は少なくなり、燃料フィルタで収集する不純物４６の量は少なくなる。この結果、燃料４０の流路系統に燃料フィルタを設けた場合において、燃料フィルタの洗浄や交換の間隔を長くすることができる。
【産業上の利用可能性】
【００４８】
以上のように、本発明に係る燃料不純物除去装置は、燃料を貯留する燃料タンクを有する場合に有用であり、特に、燃料に含まれている不純物が多い場合に適している。
【図面の簡単な説明】
【００４９】
【図１】本発明の実施例に係る燃料不純物除去装置の要部断面図である。
【図２】マイクロバブルが供給された燃料の一部詳細図である。
【図３】図１に記載されている燃料が減少した状態を示す図である。
【図４】実施例に係る燃料不純物除去装置の変形例を示す図である。
【符号の説明】
【００５０】
１  燃料不純物除去装置
１０  燃料タンク
１１  上壁
１２  底面
１３  側壁
１４  隔壁
１５  上端
１６  下端
１７  燃料槽
１８  分離槽
２０  燃料投入部
２１  燃料投入口
２２  燃料出口
２５  燃料パイプ
３０  不純物堆積部
３１  不純物受け部
３２  不純物壁部
４０  燃料
４１  液面
４５  マイクロバブル
４６  不純物
５０  マイクロバブル発生装置
５１  本体部
５２  マイクロバブル供給部
５３  燃料取入部
５４  空気取入部
５５  エアフィルタ
６０  不純物堆積部
６５  マイクロバブル供給部
【図１】
2006328979.tif 000003
【図２】
2006328979.tif 000004
【図３】
2006328979.tif 000005
【図４】
2006328979.tif 000006